(57)【要約】【課題】キーワード等の指定をより精度良く実施することが可能な情報入力装置および情報入力方法を提供する。【解決手段】タッチパネルと、前記タッチパネルに外部から入力される位置情報からキーワードを抽出する操作情報取得部と、あらかじめ設定されるキーワード選択用のフォントサイズを記憶するキーワード選択用フォントサイズ記憶部と、外部から入力される操作情報に基づいて前記タッチパネルをキーワード選択状態にする画面情報管理・作成部とを備え、前記キーワード選択状態では画面情報管理・作成部は前記フォントサイズで前記キーワード選択用の文字列を前記タッチパネルに表示させるよう制御する情報入力装置。【選択図】  図１
2012123550.tif 000002
【特許請求の範囲】
【請求項１】
タッチパネルと、
前記タッチパネルに外部から入力される位置情報からキーワードを抽出する操作情報取得部と、
あらかじめ設定されるキーワード選択用のフォントサイズを記憶するキーワード選択用フォントサイズ記憶部と、
外部から入力される操作情報に基づいて前記タッチパネルをキーワード選択状態にする画面情報管理・作成部とを備え、
前記キーワード選択状態では画面情報管理・作成部は前記フォントサイズで前記キーワード選択用の文字列を前記タッチパネルに表示させるよう制御する情報入力装置。
【請求項２】
更に、ユーザのキーワード選択精度に基づいて前記フォントサイズを決定するキャリブレーション手段を備える請求項１に記載の情報入力装置。
【請求項３】
前記タッチパネル上に表示された文字列の中から、ユーザが指で所定の文字列をなぞり、文字領域を塗りつぶすことによってその文字列をキーワードとして記憶する請求項１に記載の情報入力装置。
【請求項４】
ユーザが塗りつぶした前記文字領域において一定以上の密度で塗りつぶされた部分をキーワードとして記憶する請求項３に記載の情報入力装置。
【請求項５】
ユーザが塗りつぶした前記文字領域において前記選択精度を、選択後のユーザの操作と関連付けることによって計算する請求項２または請求項４に記載の情報入力装置。
【請求項６】
タッチパネルを備えた情報入力装置における情報入力方法であって、
あらかじめ設定されるキーワード選択用のフォントサイズを記憶し、
外部から入力される操作情報に基づいて前記タッチパネルをキーワード選択状態にし、
前記キーワード選択状態では前記フォントサイズで前記キーワード選択用の文字列を前記タッチパネルに表示し、
前記タッチパネルに外部から入力される位置情報からキーワードを抽出する情報入力方法。
【発明の詳細な説明】
【技術分野】
【０００１】
本発明の実施形態は、キーワード等を選択・入力する情報入力装置および情報入力方法に関する。
【背景技術】
【０００２】
近年、携帯電話やテレビのリモコンなどで、タッチパネルを入力手段として備えるものが存在している。このような機器で文字入力を行う場合には画面内の仮想キーボードや手書き文字入力などの手段がとられている。
【０００３】
しかし、上記のような機器で文字入力を行う場合、特に画面サイズが小さい場合には、頻繁に小さな仮想キーを多回数押すことは困難である。そのため、画面に表示されている文字列を直接選択することによりそれらをキーワードとして利用することが考えられる。
【０００４】
例えば、特許文献１は、タッチパネル上の文字列を触ることによって検索キーワードとすることを特徴としているが、しかしながら単純になぞるだけであり、この手法では、小さい文字を選択する際の選択精度の問題は解決できない。また、特許文献２は、タッチパネル上の文字をなぞることで検索することを特微としているが、これも同様に選択の精度に関わる文字サイズの問題を解決できていない。
【０００５】
即ち、人間が視認できる文字の大きさと、実際に画面上で一定の精度で選択可能な文字の大きさには開きがある。キーワード等の指定においてより精度良く実施することの要望があるが、かかる要望を実現するための手段は知られていない。
【先行技術文献】
【特許文献】
【０００６】
【特許文献１】特開２００７−１０３６８号公報
【特許文献２】特開２００９−９８０６７号公報
【発明の概要】
【発明が解決しようとする課題】
【０００７】
本発明は、キーワード等の指定をより精度良く実施することが可能な情報入力装置および情報入力方法を提供することを目的とする。
【課題を解決するための手段】
【０００８】
上記課題を解決するために、実施形態によれば情報入力装置は、タッチパネルと、前記タッチパネルに外部から入力される位置情報からキーワードを抽出する操作情報取得部と、あらかじめ設定されるキーワード選択用のフォントサイズを記憶するキーワード選択用フォントサイズ記憶部と、外部から入力される操作情報に基づいて前記タッチパネルをキーワード選択状態にする画面情報管理・作成部とを備え、前記キーワード選択状態では画面情報管理・作成部は前記フォントサイズで前記キーワード選択用の文字列を前記タッチパネルに表示させるよう制御する。
【図面の簡単な説明】
【０００９】
【図１】実施形態の情報入力装置の構成を示すブロック図。
【図２】同実施形態の画面拡大の例を示す説明図。
【図３】同実施形態のキャリブレーション画面の一例を説明するために示す図。
【図４】同実施形態のキーワード選択時の操作の一例を示す説明図。
【図５】同実施形態に用いられるキーワード選択精度管理表を示す図。
【発明を実施するための形態】
【００１０】
以下、本発明の実施形態を説明する。
（第１の実施形態）
本発明による第１の実施形態を図１乃至図５を参照して説明する。
図１に実施形態にかかるキーワード選択可能な情報入力装置１０のブロック図を示す。図１のように情報入力装置１０はタッチパネル２２、操作情報取得部２４、画面作成部２６、画面状態管理部２８、描画用フォントサイズ記憶部３０、キーワード選択用フォントサイズ記憶部３２、キャリブレーション制御部３４および表示情報入力部３６を備える。
【００１１】
タッチパネル２２は、ユーザに対して画面を表示し、かつ、ユーザからの直接的な入力を受け付ける。操作情報取得部２４は、この受け取ったユーザからの入力をもとに画面の状態や画面上のどの部分が選択されているかを、文字表示の位置座標等から解釈する。画面作成部２６は、外部（ネットワーク越しや電話回線越しなど）からの情報とユーザからの操作をもとに、実際にタッチパネル上に表示する情報を生成する。画面状態管理部２８は、上記操作情報取得部２４の情報をもとに今表示されている画面の内部状態（表示用かキーワード選択用かなど）を管理する。描画用フォントサイズ記憶部３０は、ユーザが通常操作時に画面上に表示する文字のフォントサイズを記録している。
【００１２】
また、キーワード選択用フォントサイズ記憶部３２は、ユーザがキーワードを選択するために機器の状態をキーワード選択状態にした際に、文字を表示するためのフォントサイズを記憶している。キャリブレーション制御部３４は、このキーワード選択用のフォントサイズを一定のルールの下に機器側が自動的に計算する。
【００１３】
タッチパネル２２は、表示情報入力部３６が上記外部からの情報としてインターネット等からダウンロードしたホームページ等の文字画像情報も、画面作成部２６を介して表示する。
【００１４】
図２に本実施形態の動作例の一例を示す。ユーザはこのような機器では通常画面を”見る”ことに主眼をおいているため、画面サイズとの関係もあるが、ユーザが視認しやすい範囲のフォントサイズを指定する。しかし、このようなサイズは目で見て識別は可能なものの、実際にそのサイズの文字から特定の文字列範囲（キーワード）を指で操作して区別するのは困難である。本実施形態では、検索や登録などに必要な文字情報を、画面に表示された文字列から選択する機能を前提としているため、このように視認を前提としたフォントサイズでは文字の先頭や末尾をうまく選択できなかったり、選択範囲がユーザが意図せずに次の行にかかってしまうなどの問題が発生する。そのため、通常の画面を見る状態では図２（ａ）のようにデフォルトの視認を前提としたフォントサイズで画面を表示し、ユーザが機器をキーワードを選択する状態に変更した場合には、自動的に図２（ｂ）のようにフォントサイズを予め設定されたユーザがキーワードを選択（矢印Sのように円偏光という文字列をこする）しやすいサイズ以上になるように変更する。この視認状態とキーワード選択状態の遷移に関しては特に記載していないが、画面上のメニューのようなものやアイコンなどからユーザが状態変更を選択する、本体上の特定の物理ボタンを押下する、タッチパネル上で特定の操作（S（＝選択）字を書くなど）を行うなどの操作が可能に構成できる。
【００１５】
またキーワードを選択するには、例えば始点と終点を指定できればよいので、横書きの文章中であればある行の終わり右端付近からコの字型に次の行にかけてなぞり、次の行の始まり左端付近までで選択をしてもよい。また、対象を長円で囲むなどの手段を用いられるように構成してもよい。
【００１６】
図３にキャリブレーション画面の一例を示す。この図では、ユーザに対して様々なフォントサイズの文字列を表示し、その中から特定の文字列を選択してもらうことで、フォントサイズに対する文字列の選択精度の計算を行っている。この例では「精細感」SSという文字を選択してもらい、最上段の最も小さいフォントサイズでは先頭部分、末尾部分共にうまく文字を選択できていないが、二段目のフォントサイズについては適切に選択できているため、ユーザが問題なくキーワード選択できたといえる。よって、このユーザに対しては二段目のフォントサイズであればある程度の精度でキーワード選択が可能と想定し、このフォントサイズをキーワード選択用のフォントサイズとして記憶する。また、この例では「精細感」という共通の文字列をユーザに選択してもらっているが、フォントサイズ毎に別の文字列を指定してもかまわない。また、この例では一度に全てのフォントサイズの文字列を表示しているが、フォントサイズ毎に別画面にて選択をしてもかまわない。また、ユーザの手間を省くため、ユーザに選択してもらう文字列は全てのフォントサイズでなくてもかまわない。また、確度を上げるため、ユーザに選択してもらう文字列は表示位置（上述の２行にまたがる場合など）や内容（フォントの属性、タイプなど）によって複数のパターンを選択してもらうように構成してもかまわない。
【００１７】
図４にキーワード選択後のユーザの操作と関連付けることによってキーワードの選択精度を計算し、その選択精度によってユーザが選択しやすいフォントサイズを装置内で自動的に決定する機能の一例を示す。この例ではユーザがキーワードとして文字列を選択した際に、その選択した範囲が正しいかをユーザに再度問い合わせを行っている。この例では、ユーザは本当は「ＨＤＭＩ端子」という単語をキーワードとして選択をしたかったが、うまく選択できずに「ＤＭＩ端子は」という部分が選択範囲となっている。このような場合、ユーザが確認画面にて「いいえ」を選択（図４では便宜的に二重の四角で示している）すれば、機器側がそれは間違ったキーワード選択が行われたと判断し、現在のフォントサイズでは選択精度に問題があったと判断する。なお、この例ではキーワード選択後に「はい」「いいえ」をユーザに対して問い合わせているが、直接的に問い合わせを行うのではなく、例えばキーワード選択後に「戻る」「キャンセル」といった操作が行われたか、などの操作と結びつけてもかまわない。このようにユーザがキーワード選択を行うたびに確認を行うことでユーザの選択精度を更新し、これらから適切なフォントサイズの選択を行う。具体的な選択精度の更新については次の図５に示す。
【００１８】
図５に図４で表したユーザの操作とキーワードの選択精度を管理する表の例を示す。図４の例ではユーザがキーワード選択を行った際に、その選択されたキーワードが正しいかどうかの問い合わせを行ったが、その時に選択された文字列のフォントサイズと「はい」「いいえ」の結果について、図５のように機器が内部的に管理し、一定以上の確率、例えば0.8以上のフォントサイズについては一定の精度が確保されているとして、ユーザが機器をキーワード選択状態にした場合には最低のフォントサイズ（図５では１１）がそのサイズになるように自動的に拡大処理を行うようにする。この0.8という数値は別の値にユーザが設定できるようにしてもよい。またユーザがフォントサイズの上下限などを好み等により設定してもよい。なお、この例では単純に「はい」と「いいえ」について確率を計算しているが、計算手法についてはこの限りではない。例えば正規分布などを利用してもよい。また、この例では単純にフォントサイズのみで判断をおこなっているが、フォントの種類（タイプ等）により選択精度が変わることも考えられるため、フォントの種類毎に適切な最低フォントサイズを決定してもかまわない。
【００１９】
（他の実施形態）
上記実施例では、文字列をなぞることによってキーワードを選択することを前提としているが、例えばあらかじめ形態素解析などの技術をおこなってキーワードを自動的に抽出し、なぞることではなく、ただタッチするだけでキーワードを選択する場合なども用いられる。例えば、文字列を単語に分解し、得られた単語の品詞や前後の単語との関係に基づきキーワードを抽出する。
【００２０】
このような場合でも同様にフォントサイズにより選択精度の問題が出ることが考えられるため、同様の技術が利用可能と考えられる。また、キーワード選択だけでなく、例えばＨＴＭＬのリンクが隣接して存在する場合などでも同様の問題が発生するため、これらの技術が利用可能である。
【００２１】
以上説明した実施例では文字が小さい場合に文字を自動的に選択しやすいサイズまで拡大することを特徴としている。
そのため、視認用とは別にキーワード選択用のフォントサイズを機器が記憶しておき、キーワード選択時には表示されるフォントサイズがそのサイズ以上になるよう画面をスケーリングする。また、指での選択時にはどうしても選択文字列の先頭末尾が欠けたり、余計に加わったりするため、複数回指を往復させ、キーワード領域を塗りつぶす様な動作を行うことで、選択領域を指定し、その選択部分の密度を見ることで先頭末尾の選択ミスを減らす。例えば、３２画素×３２画素の入力文字領域において、密度としてこの８割以上が累積で接触を受けていれば、この文字領域はなぞられたと判定する等である。
【００２２】
また、ユーザ自身にフォントサイズを決定してもらうのは難しいため、キャリブレーション機能を備え、それらの実行結果から自動的にユーザにあったフォントサイズを決定する。
【００２３】
本実施形態により、キーワード選択時に機器があらかじめユーザが利用しやすいフォントサイズに自動的に設定することで、キーワード選択時における選択ミスなどが減り、効率的に画面上の文章からキーワードを選択することができるようになった。また、キャリブレーションの機能を備えることによって、ユーザが自身がフォントサイズを設定する必要がなくなり、かつ、客観的に選択精度の高い値を利用できるため、キーワード選択の効率が向上した。
【００２４】
概要としてキーワード選択（ができる）装置で、タッチパネル上に表示された文字列の中から、ユーザがよびで検索用キーワードとしたい文字列をなぞることにより、そのキーワードが登録される。通常表示における文字のフォントサイズをキーワード選択時にはサイズを変更して大きくできる。
【００２５】
（１）ユーザがあらかじめ設定しておいたキーワード選択用のフォントサイズを記憶しておき、ユーザが機器をキーワード選択状態に変更した場合には、自動的に画面上に表示されている文字のフォントサイズをユーザが設定した値以上になるように画面をスケーリングする、ことを特徴とするキーワード選択装置
【００２６】
（２）上記１のキーワード選択装置のうち、複数サイズのフォントを表示したキャリブレーション画面をもち、その中からあらかじめ決められた文字列をユーザになぞることで選択してもらい、その選択精度を計算することによって、ユーザが安定してキーワードを選択することが可能なフォントサイズを装置内で自動的に決定する機能を持つ、ことを特徴とするキーワード選択装置
【００２７】
（３）上記１のキーワード選択装置のうち、タッチパネル上に表示された文字列の中から、ユーザが指で所定の文字列をなぞり、文字領域を塗りつぶすことによってその文字列をキーワードとして記憶することを特徴としたキーワード選択装置
【００２８】
（４）上記１のキーワード選択装置のうち、ユーザが塗りつぶした文字領域の密度によって、一定以上の密度で塗りつぶされた部分をキーワードとして認識する、ことを特徴とするキーワード選択装置
【００２９】
（５）上記１のキーワード選択装置のうち、ユーザがタッチパネル上に表示された文字列をなぞることによってキーワード選択状態とする際の選択精度を、選択後のユーザの操作と関連付けることによって計算し、その選択精度によってユーザが選択しやすいフォントサイズを装置内で自動的に決定する機能を持つ、ことを特徴とするキーワード選択装置
【００３０】
なお、この発明は上記実施形態に限定されるものではなく、この外その要旨を逸脱しない範囲で種々変形して実施することができる。
また、上記した実施の形態に開示されている複数の構成要素を適宜に組み合わせることにより、種々の発明を形成することができる。例えば、実施の形態に示される全構成要素から幾つかの構成要素を削除しても良いものである。キャリブレーション制御部３４についてには、前記３の形態ではキャリブレーション機能は必要ないため省略することができる。
【００３１】
さらに、異なる実施の形態に係わる構成要素を適宜組み合わせても良いものである。
【符号の説明】
【００３２】
２２…タッチパネル、２４…操作情報取得部、２６…画面作成部、２８…画面状態管理部、３０…描画用フォントサイズ記憶部、３２…キーワード選択用フォントサイズ記憶部、３４…キャリブレーション制御部。
【図１】
2012123550.tif 000003
【図２】
2012123550.tif 000004
【図３】
2012123550.tif 000005
【図４】
2012123550.tif 000006
【図５】
2012123550.tif 000007
【手続補正書】
【提出日】平成24年3月28日(2012.3.28)
【手続補正１】
【補正対象書類名】特許請求の範囲
【補正対象項目名】全文
【補正方法】変更
【補正の内容】
【特許請求の範囲】
【請求項１】
タッチパネルと、
前記タッチパネルの表示を、キーワードを選択する状態とする指示操作に基づいて、前記タッチパネルに表示される文字の大きさを第１のフォントサイズから、前記第１のフォントサイズよりもサイズの大きな第２のフォントサイズに変更する画面作成手段と、
前記第２のフォントサイズで表示された前記タッチパネルへの操作に応じて、前記タッチパネルに表示された文字からキーワードを抽出する操作情報取得手段と
を備える情報処理装置。
【請求項２】
前記第２のフォントサイズが記憶された記憶手段をさらに備える請求項１に記載の情報処理装置。
【請求項３】
前記第２のフォントサイズで表示された前記タッチパネルへの操作の精度に基づいて、前記第２のフォントサイズを変更するキャリブレーション手段をさらに備える請求項１又は請求項２に記載の情報処理装置。
【請求項４】
前記操作情報取得手段は、
前記タッチパネル上に前記第２のフォントサイズで表示された文字列の中から、ユーザが指でなぞった文字領域に含まれる文字を前記キーワードとして抽出する請求項１に記載の情報処理装置。
【請求項５】
ユーザが、前記文字領域において一定以上の密度で塗りつぶされた部分をキーワードとして抽出する請求項４に記載の情報処理装置。
【請求項６】
タッチパネルを備えた情報処理装置における情報処理方法であって、
前記タッチパネルの表示を、キーワードを選択する状態とする指示操作に基づいて、前記タッチパネルに表示される文字の大きさを第１のフォントサイズから、前記第１のフォントサイズよりもサイズの大きな第２のフォントサイズに変更し、
前記第２のフォントサイズで表示された前記タッチパネルへの操作に応じて、前記タッチパネルに表示された文字からキーワードを抽出する情報処理方法。